(57)【要約】【課題】  画像形成装置から電力の供給を受けるとともに蓄電器を備えたオプション装置において、オプション装置が画像形成装置から離脱、もしくはオプション装置が開けられた場合の安全性への対策を講じる。【解決手段】  充放電可能な蓄電器（４０５）、画像形成装置からの電力および蓄電器（４０５）からの電力の少なくともいずれかの供給を受けて所定のオプション処理を実行するオプション処理部（４１０，３１２）、このオプション装置（３０２）が画像形成装置（３０１）から離脱された場合、あるいはこのオプション装置（３０２）のドアが開状態となった場合に、蓄電器（４０５）からオプション処理部（４１０，３１２）への電力供給を遮断するスイッチ部（４１１）を備える。【選択図】  図１
2006133614.tif 000002
【特許請求の範囲】
【請求項１】
記録媒体に画像を形成する画像形成装置に着脱可能に接続され、この画像形成装置より供給された記録媒体に所定のオプション処理を行う、画像形成装置用のオプション装置であって、
充放電可能な蓄電器と、
前記画像形成装置からの電力および前記蓄電器からの電力の少なくともいずれかの供給を受けて前記所定のオプション処理を実行するオプション処理部と、
このオプション装置が前記画像形成装置から離脱された場合、あるいはこのオプション装置のドアが開状態となった場合に、前記蓄電器から前記オプション処理部への電力供給を遮断するスイッチ部と、
を備えることを特徴とするオプション装置。
【請求項２】
前記所定のオプション処理は、供給された記録媒体を複数枚束ねてステイプルを行うステイプル処理であることを特徴とする請求項１に記載のオプション装置。
【請求項３】
前記所定のオプション処理は、供給された記録媒体を複数枚束ねて裁断するトリミング処理であることを特徴とする請求項１に記載のオプション装置。
【請求項４】
前記所定のオプション処理は、供給された記録媒体を複数枚束ねて製本するブックレット処理であることを特徴とする請求項１に記載のオプション装置。
【請求項５】
前記蓄電器は、電気二重層コンデンサを含むことを特徴とする請求項１から４までのいずれかに記載のオプション装置。
【発明の詳細な説明】
【技術分野】
【０００１】
本発明は、画像形成装置より供給された記録媒体に所定のオプション処理を行う、画像形成装置用のオプション装置に関する。
【背景技術】
【０００２】
近年、画像形成装置において、オプション拡張性や省エネルギー化等の付加価値を付けることがこれまで以上に市場から求められるようになってきている。また、オプション装着時のデザイン性の向上やユーザにより容易にオプションの脱着を可能とするため、画像形成装置からオプション装置へ電力を供給することが求められるようになってきている。
【０００３】
しかしながら、画像形成装置本体からステイプル処理を行うようなオプション装置へ電力を供給する場合には、ステイプル動作には大電力を要するため、オプション装置の最大負荷を見越して画像形成装置本体に大容量の電源回路を用意しておく必要がある。しかしこれでは、画像形成装置のみを使用するユーザにとっては不必要なコストアップとなってしまう。そのため、オプション装置自体が消費する最大電力を低減し、画像形成装置本体のコストアップを必要最小限度に留めることが要請されている。
【０００４】
また、商用電源のブレーカ等の保護手段が動作しないよう、画像形成装置及びオプション装置それぞれの最大電力を低減し、システムとしての最大電力が一系統の商用電源で供給可能な最大電力を超えないようにする手段が必要になってきている。
【０００５】
【特許文献１】特開２００２−３０４０９３号公報
【発明の開示】
【発明が解決しようとする課題】
【０００６】
一方、画像形成装置や、個別に電源を有するオプション装置では、安全性確保のため、紙詰まり等でユーザが画像形成装置を開けた場合に、ユーザが接触可能な位置にある駆動手段や加熱手段等へは電力供給を遮断する構成が採用されている。
【０００７】
しかしながら、画像形成装置から電力の供給を受けるオプション装置に蓄電器を設けた場合、オプション装置が画像形成装置から離脱、もしくはオプション装置が開けられた場合に画像形成装置からオプション装置への電力供給は遮断されるものの、蓄電器に残留した電荷によりオプション装置の駆動手段等が動作可能となる可能性がある。
【０００８】
本発明は上記問題に鑑みてなされたものであり、画像形成装置から電力の供給を受けるとともに蓄電器を備えたオプション装置において、オプション装置が画像形成装置から離脱、もしくはオプション装置が開けられた場合の安全性への対策を講じることを目的とする。
【課題を解決するための手段】
【０００９】
上記目的を達成するために例えば本発明のオプション装置は以下の構成を備える。すなわち、記録媒体に画像を形成する画像形成装置に着脱可能に接続され、この画像形成装置より供給された記録媒体に所定のオプション処理を行う、画像形成装置用のオプション装置であって、充放電可能な蓄電器と、前記画像形成装置からの電力および前記蓄電器からの電力の少なくともいずれかの供給を受けて前記所定のオプション処理を実行するオプション処理部と、このオプション装置が前記画像形成装置から離脱された場合、あるいはこのオプション装置のドアが開状態となった場合に、前記蓄電器から前記オプション処理部への電力供給を遮断するスイッチ部とを備える。
【発明の効果】
【００１０】
本発明によれば、画像形成装置から電力の供給を受けるとともに蓄電器を備えたオプション装置において、オプション装置が画像形成装置から離脱、もしくはオプション装置が開けられた場合の安全性への対策が図られる。
【発明を実施するための最良の形態】
【００１１】
以下、図面を参照して本発明の好適な実施形態について詳細に説明する。
【００１２】
（第１の実施形態）
図１は、本実施形態に係る画像形成装置３０１およびオプション装置としてのシート処理装置３０２の構成を示すブロック図である。シート処理装置３０２は画像形成装置３０１に着脱自在に構成されており、画像形成装置３０１に装着されると両者は電気的な接続がなされる。
【００１３】
画像形成装置３０１は、電源回路４０１、画像形成処理を制御する画像形成装置制御回路４０２、および、後述するシート処理装置３０２のスイッチ４１１を押圧するスイッチ押し部材４１２を備える。電源回路４０１には電源コード４１１を介して不図示の商用電源から電力が供給される。画像形成装置３０１のその他の構成要素については、公知のものを使用することができ、また、本発明には深く関係しないので、図示を省略した。
【００１４】
本実施形態におけるシート処理装置３０２は、画像形成装置３０１のオプション機能として、画像形成後の記録媒体（以下「シート」という。）を所定枚数束ねてステイプル処理を行う。３１２は画像形成装置３０１から排出された複数のシートを綴じるステイプラ、４０３および４０４はダイオード、４０５は充放電可能な蓄電器、４０６は蓄電器４０５を充電する充電回路、４０７は蓄電器４０５の出力電圧を検出する蓄電器電圧検出回路、４０８は蓄電器４０５からの出力電圧を所定の一定電圧に制御する定電圧制御回路、４０９はシートの搬送やステイプル動作の制御を行うシート処理装置制御回路、４１０はステイプラ３１２を駆動するステイプル駆動部、４１１はシート処理装置３０２が画像形成装置３０１に接続されている場合のみスイッチ押し部材４１２に押されてＯＮするスイッチ、４１３はシート処理装置制御回路４０９からの指示に応じＯＮ／ＯＦＦするスイッチである。
【００１５】
次に、シート処理装置３０２の動作について説明する。
【００１６】
画像形成装置３０１の電源回路４０１は、画像形成装置制御回路４０２へ所定の電圧を供給するとともに、オプション設定されたシート処理装置３０２へコネクタを介して所定の電圧Ｖａを供給している。画像形成装置制御回路４０２はまた、コネクタを介してシート処理装置３０２内のシート処理装置制御回路４０９と通信を行い、シートの搬送やステイプル動作が円滑に行われるようにタイミング制御を行っている。
【００１７】
充電回路４０６は、電源回路４０１から供給された電圧Ｖａを受け、シート処理装置制御回路４０９からの充電指令により、所定電圧Ｖｂ（ここではＶａ＜Ｖｂ）を、例えば複数個の電気二重層コンデンサ素子を含む蓄電器４０５に供給し、蓄電器４０５を所定電圧Ｖｃ（≒Ｖｂ）に充電する。なお、電気二重層コンデンサは、数Ｆ以上と大きく、二次電池と比べて充電効率が良く、長寿命であるため近年多くの分野において注目されている素子である。
【００１８】
蓄電器電圧検出回路４０７は、蓄電器４０５の充電電圧を検出し、その検出結果を、例えばアナログ信号としてシート処理装置制御回路４０９内にある不図示のＣＰＵのＡ／Ｄポートに送信する。シート処理装置制御回路４０９は、この蓄電器電圧検出回路４０７の検出結果に応じて、充電回路４０６に充電指示を行う。
【００１９】
定電圧制御回路４０８は、蓄電器４０５の充電電圧Ｖｃをステイプル動作に必要な電圧Ｖｓ（Ｖｓ≒Ｖａ−Ｖｆ，Ｖｓ＜Ｖｃ，Ｖｆ＝ダイオード４０３の順方向電圧：約０．６Ｖ）に制御し、スイッチ４１３及びスイッチ４１１を介してステイプル駆動部４１０に電圧Ｖｓを供給しステイプラ３１２を駆動する。
【００２０】
スイッチ４１１は、上記のとおり、シート処理装置３０２が画像形成装置３０１に接続されている場合のみスイッチ押し部材４１２によりＯＮされる構成となっている。また、スイッチ４１３にはオンオフ耐久性の理由から、ＦＥＴ等の半導体スイッチを使用するのが好ましいものの、オンオフ回数などの寿命が問題なければリレー等のメカニカルスイッチを用いても構わない。
【００２１】
ダイオード４０３は、蓄電器４０５から定電圧制御回路４０８を介して電圧Ｖｓを供給している際に、電源回路４０１からの出力がステイプル駆動部４１０へ供給されないようにするとともに、蓄電器４０３からの電力が画像形成装置３０１に供給されないようにするものである。
【００２２】
次に、蓄電器４０５からの電力供給によるステイプル動作について、図２および図３を用いて説明する。図２は蓄電器４０５の出力電圧を説明する図、図３は蓄電器４０５からの電力供給によるシート処理動作（ステイプル動作）を示すフローチャートである。
【００２３】
不図示のスタックトレイに所定枚数Ｎのシートが積載されると、シート処理装置制御回路４０９は蓄電器４０５の充電電圧Ｖｃをモニタし（ステップＳ７０１）、最大充電電圧Ｖｃ１と充電開始電圧Ｖｃ２との電圧範囲内Ｖｃ１＞Ｖｃ＞Ｖｃ２にあるか確認する（ステップＳ７０２）。所定範囲内にある場合には、シート処理装置制御回路４０９は、画像形成動作とのタイミングを図り、スイッチ４１３をオンすることでスイッチ４１１を介して電圧Ｖｓをステイプル駆動部４１０へ供給する（ステップＳ７０３）。ステイプル駆動部４１０は供給電圧Ｖｓによりステイプラ３１２を駆動し、シート束にステイプル動作を行う（ステップＳ７０４）。このように、蓄電器４０５で蓄えておいたエネルギーによりステイプル動作を行うため、ステイプル動作時における電源回路４０１からシート処理装置３０２に短時間に流れるシート処理装置３０２の最大消費電流は軽減されることになる。つまり、シート処理装置３０２に流れる最大電流（最大消費電力）が軽減されるため、画像形成装置３０１に接続した際のシステムとしての最大消費電力も低減することが可能となる。
【００２４】
ステイプル動作終了後は、スイッチ４１３をオフする（ステップＳ７０５）。その後、ジョブが終了したか否かを判断する（ステップＳ７０６）。ここでジョブが終了した場合には本処理を終了する。一方、ジョブがまだ終了していない場合には次のステイプルジョブに備えて、蓄電器４０５への充電を行う（ステップＳ７０７）。このとき、充電電圧Ｖｃが所定電圧範囲内Ｖｃ１＞Ｖｃ＞Ｖｃ２にある場合には、必ずしも充電しておく必要はなく、またスイッチ４１３をオフする必要もない。充電電圧Ｖｃが充電開始電圧Ｖｃ２を下回った時点でスイッチ４１３をオフし、充電を開始すればよい。
【００２５】
一方、ステップＳ７０２で、充電電圧Ｖｃが充電開始電圧Ｖｃ２を下回っている場合には、印字速度やステイプル枚数等の条件によっては、ステイプル駆動部４１０へ必要電圧Ｖｓを供給できない可能性がある。すなわちステイプルできない可能性があるため、画像形成動作を一時休止して（ステップＳ７０８）、ステップＳ７０７に進み、蓄電器４０５が最大電圧Ｖｃ１に充電されるまでの充電時間を確保する。
【００２６】
図４はシート処理装置３０２が画像形成装置３０１から離脱した場合示している。シート処理装置３０２が画像形成装置３０１から離脱すると、電源回路４０１からステイプル駆動部４１０への電力供給は遮断される。加えて、スイッチ４１１からスイッチ押し部材４１２が離れることによってスイッチ４１１はオープンとなり、蓄電器４０５からステイプル駆動部４１０への電力供給も遮断される。
【００２７】
以上のように、画像形成装置３０１における電源回路４０１からオプション装置としてのシート処理装置３０２における蓄電器４０５に電力を供給するように構成された画像形成装置において、ステイプル時に電源回路４０１から供給される電力量を軽減することが可能となる。さらに、シート処理装置３０２が画像形成装置３０１から離脱されると、電源回路４０１からの電力供給が遮断されるだけでなく、蓄電器４０５とステイプル駆動部４１０との間に設けられたスイッチ４１１もＯＦＦされるので、蓄電器４０５からステイプル駆動部４１０への電力供給も確実に遮断することができる。これにより高い安全性を確保することができる。
【００２８】
（第２の実施形態）
図５は、第２の実施形態における画像形成装置およびシート処理装置の構成を示すブロック図である。
【００２９】
本実施形態におけるシート処理装置３０２は、画像形成装置３０１のオプション機能として、画像形成後のシートを複数枚束ねて裁断するトリミング処理を行う。なお、図１と同様の構成要素については同じ符号を付しそれらの説明を省略する。また、蓄電器の出力電圧説明、及び蓄電器からの電力供給による動作についても、図２および図３を援用することとし、これらの説明を省略する（以下の実施形態においても同様。）。
【００３０】
以下、図５に示した本実施形態におけるシート処理装置３０２の構成および動作について説明する。
【００３１】
５０１はシートを裁断するトリマ、５０２はトリマ５０１を駆動するトリミング駆動部、５０３はリレーである。
【００３２】
画像形成装置３０１の電源回路４０１は、画像形成装置制御回路４０２へ所定の電圧を供給するとともに、オプション設定されたシート処理装置３０２へコネクタを介して所定の電圧Ｖａを供給している。画像形成装置制御回路４０２はまた、コネクタを介してシート処理装置３０２内のシート処理装置制御回路４０９と通信を行い、シートの搬送やトリミング動作が円滑に行われるようにタイミング制御を行っている。
【００３３】
充電回路４０６は、電源回路４０１から供給された電圧Ｖａを受け、シート処理装置制御回路４０９からの充電指令により、所定電圧Ｖｂ（ここではＶａ＜Ｖｂ）を蓄電器４０５に供給し、蓄電器４０５を所定電圧Ｖｃ（≒Ｖｂ）に充電する。
【００３４】
蓄電器電圧検出回路４０７は、蓄電器４０５の充電電圧を検出し、その検出結果を、例えばアナログ信号としてシート処理装置制御回路４０９内にある不図示のＣＰＵのＡ／Ｄポートに送信する。シート処理装置制御回路４０９は、この蓄電器電圧検出回路４０７の検出結果に応じて、充電回路４０６に充電指示を行う。
【００３５】
定電圧制御回路４０８は、蓄電器４０５の充電電圧Ｖｃをトリミング動作に必要な電圧Ｖｓ（Ｖｓ≒Ｖａ−Ｖｆ， Ｖｓ＜Ｖｃ， Ｖｆ＝ダイオード４０３の順方向電圧：約０．６Ｖ）に制御し、スイッチ４１３及びリレー５０３を介してトリミング駆動部５０２に電圧Ｖｓを供給しトリマ５０１を駆動する。
【００３６】
リレー５０３は、シート処理装置３０２が画像形成装置３０１に接続している場合のみ電源回路４０１からの供給電圧ＶａによりＯＮ状態となるように構成されている。
【００３７】
ダイオード４０３は、蓄電器４０５から定電圧制御回路４０８を介して電圧Ｖｓを供給している際に、電源回路４０１からの出力がトリミング駆動部５０２へ供給されないようにするとともに、蓄電器４０３からの電力が画像形成装置３０１に供給されないようにするものである。
【００３８】
図６は、シート処理装置３０２が画像形成装置３０１から離脱した場合を示している。シート処理装置３０２が画像形成装置３０１から離脱すると、電源回路４０１からトリミング駆動部５０２への電力供給は遮断される。加えて、リレー５０３への電力供給も遮断されてリレー５０３がオープンとなり、これによって蓄電器４０５からトリミング駆動部５０２への電力供給も遮断される。
【００３９】
以上のような構成によっても、第１の実施形態と同様な効果が得られる。すなわち、画像形成装置３０１における電源回路４０１からシート処理装置３０２における蓄電器４０５へ電力を供給するように構成された画像形成装置において、トリミング時に電源回路４０１から供給される電力量を軽減することが可能となる。さらに、シート処理装置３０２が画像形成装置３０１から離脱されると、電源回路４０１からの電力供給が遮断されるだけでなく、蓄電器４０５とトリミング駆動部５０２との間に設けられたリレー５０３もオープンとなるので、蓄電器４０５からトリミング駆動部５０２への電力供給も確実に遮断することができる。これにより高い安全性を確保することができる。
【００４０】
また、実施形態１と比較すると、蓄電器４０５からトリミング駆動部５０２への経路を短くすることが可能となり、シート処理装置３０２の小型化も可能となる。
【００４１】
（第３の実施形態）
図７は、第３の実施形態における画像形成装置およびシート処理装置の構成を示すブロック図である。本実施形態におけるシート処理装置３０２は、上述の第１の実施形態と同様にステイプル処理を行うものとする。
【００４２】
以下、本実施形態におけるシート処理装置３０２の構成および動作について説明する。
【００４３】
６０１および６０２は蓄電器４０５からの電力を画像形成装置３０１を介してステイプル駆動部４１０に供給するためのドロアコネクタである。
【００４４】
画像形成装置３０１の電源回路４０１は、画像形成装置制御回路４０２へ所定の電圧を供給するとともに、オプション設定されたシート処理装置３０２へコネクタを介して所定の電圧Ｖａを供給している。画像形成装置制御回路４０２はまた、コネクタを介してシート処理装置３０２内のシート処理装置制御回路４０９と通信を行い、シートの搬送やステイプル動作が円滑に行われるようにタイミング制御を行っている。
【００４５】
充電回路４０６は、電源回路４０１から供給された電圧Ｖａを受け、シート処理装置制御回路４０９からの充電指令により、所定電圧Ｖｂ（ここではＶａ＜Ｖｂ）を蓄電器４０５に供給し、蓄電器４０５を所定電圧Ｖｃ（≒Ｖｂ）に充電する。
【００４６】
蓄電器電圧検出回路４０７は、蓄電器４０５の充電電圧を検出し、その検出結果を、例えばアナログ信号としてシート処理装置制御回路４０９内にある不図示のＣＰＵのＡ／Ｄポートに送信する。シート処理装置制御回路４０９は、この蓄電器電圧検出回路４０７の検出結果に応じて、充電回路４０６に充電指示を行う。
【００４７】
定電圧制御回路４０８は、蓄電器４０５の充電電圧Ｖｃをステイプル動作に必要な電圧Ｖｓ（Ｖｓ≒Ｖａ−Ｖｆ， Ｖｓ＜Ｖｃ， Ｖｆ＝ダイオード４０３の順方向電圧：約０．６Ｖ）に制御し、スイッチ４１３及びドロアコネクタ６０１、６０２を介してステイプル駆動部４１０に電圧Ｖｓを供給しステイプラ３１２を駆動する。
【００４８】
ドロアコネクタ６０１、６０２は、シート処理装置３０２が画像形成装置３０１に接続している場合のみ導通する構成となっている。ダイオード４０３は蓄電器４０５から定電圧制御回路４０８を介して電圧Ｖｓを供給している際に、電源回路４０１からの出力がステイプル駆動部４１０へ供給されないようにするとともに、蓄電器４０３からの電力が画像形成装置３０１に供給されないようにするものである。
【００４９】
図８は、シート処理装置３０２が画像形成装置３０１から離脱した場合を示している。シート処理装置３０２が画像形成装置３０１から離脱すると、電源回路４０１からトリミング駆動部５０２への電力供給は遮断される。加えて、ドロアコネクタ６０１、６０２が離れることにより、蓄電器４０５からステイプル駆動部４１０への電力供給も遮断される。
【００５０】
以上のような構成によっても、第１の実施形態と同様な効果が得られる。
【００５１】
（第４の実施形態）
図９は、第４の実施形態における画像形成装置およびシート処理装置の構成を示すブロック図である。本実施形態におけるシート処理装置３０２は、画像形成後のシートを複数枚束ねて製本する、いわゆるブックレット処理を行うものとする。
【００５２】
以下、本実施形態におけるシート処理装置３０２の構成および動作について説明する。
【００５３】
７０１は、供給されたシートを折り曲げ、不図示の加熱部により表紙をのり付けするブックレット処理部、７０２は、ブックレット処理部７０１を駆動するブックレット処理駆動部、７０３はシート処理装置３０２が画像形成装置３０１に接続されている場合のみスイッチ押し部材７０４によりＯＮされるスイッチ、７０５はシート処理装置３０２のドアが閉じている場合のみスイッチ押し部材７０６によりＯＮされるスイッチである。
【００５４】
画像形成装置３０１の電源回路４０１は、画像形成装置制御回路４０２へ所定の電圧を供給するとともに、オプション設定されたシート処理装置３０２へコネクタを介して所定の電圧Ｖａを供給している。画像形成装置制御回路４０２はまた、コネクタを介してシート処理装置３０２内のシート処理装置制御回路４０９と通信を行い、シートの搬送やブックレット処理動作が円滑に行われるようにタイミング制御を行っている。
【００５５】
充電回路４０６は、電源回路４０１から供給された電圧Ｖａを受け、シート処理装置制御回路４０９からの充電指令により、所定電圧Ｖｂ（ここではＶａ＜Ｖｂ）を蓄電器４０５に供給し、蓄電器４０５を所定電圧Ｖｃ（≒Ｖｂ）に充電する。
【００５６】
蓄電器電圧検出回路４０７は、蓄電器４０５の充電電圧を検出し、その検出結果を、例えばアナログ信号としてシート処理装置制御回路４０９内にある不図示のＣＰＵのＡ／Ｄポートに送信する。シート処理装置制御回路４０９は、この蓄電器電圧検出回路４０７の検出結果に応じて、充電回路４０６に充電指示を行う。
【００５７】
定電圧制御回路４０８は、蓄電器４０５の充電電圧Ｖｃをブックレット処理動作に必要な電圧Ｖｓ（Ｖｓ≒Ｖａ−Ｖｆ， Ｖｓ＜Ｖｃ， Ｖｆ＝ダイオード４０３の順方向電圧：約０．６Ｖ）に制御し、スイッチ４１３及びスイッチ７０３、７０５を介してブックレット処理駆動部７０２に電圧Ｖｓを供給しブックレット処理部７０１を駆動する。
【００５８】
ダイオード４０３は、蓄電器４０５から定電圧制御回路４０８を介して電圧Ｖｓを供給している際に、電源回路４０１からの出力がブックレット処理駆動部７０２へ供給されないようにするとともに、蓄電器４０３からの電力が画像形成装置３０１に供給されないようにするものである。
【００５９】
図１０は、シート処理装置３０２が画像形成装置３０１から離脱した場合を示している。シート処理装置３０２が画像形成装置３０１から離脱すると、スイッチ７０３がオープンとなり、電源回路４０１及び蓄電器４０５からブックレット処理駆動部７０２への電力供給は遮断される。同様に、シート処理装置３０２のドアが開いているときは、スイッチ７０５がオープンとなり、電源回路４０１及び蓄電器４０５からブックレット処理駆動部７０２への電力供給も遮断される。
【００６０】
以上のような構成によっても、第１の実施形態と同様な効果が得られる。
【００６１】
なお、本実施形態では、シート処理装置３０２が画像形成装置３０１に接続されている場合のみスイッチ押し部材７０４によりＯＮされるスイッチ、および、シート処理装置３０２のドアが閉じている場合のみスイッチ押し部材７０６によりＯＮされるスイッチ７０３とスイッチ７０５を備えた構成として説明を行ったが、このかわりにスイッチを１つとし、このスイッチが、シート処理装置３０２が画像形成装置３０１に接続され、かつシート処理装置３０２のドアが閉じている場合のみＯＮする構成としてもかまわない。
【００６２】
また、上述の実施形態１〜４では、蓄電器に複数個の電気二重層コンデンサ素子を用いる構成で説明を行った。しかしながら、本発明は電気二重層コンデンサ素子に限定されるものではなく、例えば２次電池やコンデンサを用いてもかまわない。
【００６３】
また、上述の実施形態１〜４のそれぞれにおけるシート処理装置３０２のオプション機能は一例を示したものであり、各実施形態におけるシート処理装置はそれぞれの実施形態間で相互に入れ替えて適用することができることはいうまでもない。
【図面の簡単な説明】
【００６４】
【図１】第１の実施形態に係る画像形成装置およびシート処理装置の構成を示すブロック図である。
【図２】実施形態における蓄電器の出力電圧を説明する図である。
【図３】実施形態における蓄電器からの電力供給によるシート処理動作を示すフローチャートである。
【図４】第１の実施形態における、シート処理装置が画像形成装置から離脱した場合を示す図である。
【図５】第２の実施形態に係る画像形成装置およびシート処理装置の構成を示すブロック図である。
【図６】第２の実施形態における、シート処理装置が画像形成装置から離脱した場合を示す図である。
【図７】第３の実施形態に係る画像形成装置およびシート処理装置の構成を示すブロック図である。
【図８】第３の実施形態における、シート処理装置が画像形成装置から離脱した場合を示す図である。
【図９】第４の実施形態に係る画像形成装置およびシート処理装置の構成を示すブロック図である。
【図１０】第４の実施形態における、シート処理装置が画像形成装置から離脱した場合を示す図である。
【符号の説明】
【００６５】
３０１：画像形成装置
３０２：シート処理装置
３１２：ステイプラ
４０１：電源回路
４０２：画像形成装置制御回路
４０５：蓄電器
４０６：充電回路
４０７：蓄電器電圧検出回路
４０８：定電圧制御回路
４０９：シート処理装置制御回路
４１０：ステイプル駆動部
４１１：ＡＣプラグ
【図１】
2006133614.tif 000003
【図２】
2006133614.tif 000004
【図３】
2006133614.tif 000005
【図４】
2006133614.tif 000006
【図５】
2006133614.tif 000007
【図６】
2006133614.tif 000008
【図７】
2006133614.tif 000009
【図８】
2006133614.tif 000010
【図９】
2006133614.tif 000011
【図１０】
2006133614.tif 000012